(57)【要約】【課題】  連続視聴を可能とするように、同一伝送チャンネル内の複数の放送を、適切に切り換える。【解決手段】  放送選択制御部１９２は、選択ユニット１５０により選択されているＢ階層放送においてはコマーシャル期間であることが検出され、Ａ階層放送においてはコマーシャル期間であることが検出されておらず、かつ、Ａ階層放送及びＢ階層放送が同時放送であることを含む第１切換条件が満たされた場合に、選択ユニット１５０に対して、Ａ階層放送への選択の切換制御を行う。そして、放送選択制御部１９２は、当該第１切換条件を満たしたことにより、Ａ階層放送が選択ユニット１５０により選択されている状態において、放送波の受信品質が良好であり、Ｂ階層放送においてコマーシャル期間が終了したことを含む第２切換条件が満たされた場合に、選択ユニット１５０に対して、Ｂ階層放送への選択の切換制御を行う。【選択図】  図３
2010147733.tif 000002
【特許請求の範囲】
【請求項１】
第１放送及び第２放送を含む複数の放送波を受信する放送受信装置であって、
前記第１放送及び第２放送が、同一番組が同一時間帯に放送される同時放送であるか否かを判定する同時放送判定手段と；
前記第１及び第２放送に関する再生前処理を行い、第１及び第２コンテンツ復号結果を生成する生成手段と；
前記第１及び第２コンテンツ復号結果のそれぞれにおけるコマーシャル期間を検出するコマーシャル検出手段と；
前記第１及び第２コンテンツ復号結果の一方を選択して出力する選択手段と；
前記選択手段に対して、前記第１及び第２コンテンツ復号結果のいずれを選択すべきかを制御する選択制御手段と；を備え、
前記コマーシャル検出手段により、前記選択手段により選択されている一方のコンテンツ復号結果においてはコマーシャル期間であることが検出され、前記選択手段により選択されていない他方のコンテンツ復号結果においてはコマーシャル期間であることが検出されておらず、かつ、前記同時放送判定手段による判定の結果が肯定的であることを含む第１切換条件が満たされた場合に、前記選択制御手段が、前記選択手段に対して、前記他方のコンテンツ復号結果への選択の切換制御を行う、
ことを特徴とする放送受信装置。
【請求項２】
前記第１放送よりもエラー耐性が低い前記第２放送の放送波の受信品質を計測する計測手段を備え、
前記他方のコンテンツ複合結果が前記第２放送のコンテンツ複合結果である場合には、前記第１切換条件には、前記計測手段による受信品質の計測結果が所定受信品質以上であることが更に含まれる、
ことを特徴とする請求項１に記載の放送受信装置。
【請求項３】
前記第１切換条件を満たしたことにより、前記他方のコンテンツ復号結果が前記選択手段により選択されている状態において、前記コマーシャル検出手段による検出結果により、前記一方のコンテンツ復号結果において前記コマーシャル期間が終了したことを含む第２切換条件が満たされた場合に、前記選択制御手段が、前記選択手段に対して、前記一方のコンテンツ復号結果への選択の切換制御を行う、ことを特徴とする請求項１又は２に記載の放送受信装置。
【請求項４】
前記第１放送よりもエラー耐性が低い前記第２放送の放送波の受信品質を計測する計測手段を備え、
前記一方のコンテンツ複合結果が前記第２放送のコンテンツ複合結果である場合には、前記第２切換条件には、前記計測手段による受信品質の計測結果が所定受信品質以上であることが更に含まれる、
ことを特徴とする請求項３に記載の放送受信装置。
【請求項５】
前記同時放送判定手段は、
前記第１及び第２放送に含まれる番組情報を取得する取得手段と；
前記第１及び第２コンテンツ復号結果が、同一コンテンツに基づくものであるか否かを判定するコンテンツ判定手段と；を備え、
前記取得手段による取得結果に基づいて、同時放送であるか否かの判定ができないときに、前記同時放送判定手段は、前記コンテンツ判定手段による判定結果に基づいて、同時放送であるか否かを判定する、
ことを特徴とする請求項１〜４のいずれか一項に記載の放送受信装置。
【請求項６】
移動体に搭載される、ことを特徴とする請求項１〜５のいずれか一項に記載の放送受信装置。
【請求項７】
第１放送及び第２放送を含む複数の放送波を受信する放送受信装置において使用される放送受信方法であって、
前記第１放送及び第２放送が、同一番組が同一時間帯に放送される同時放送であるか否かを判定する同時放送判定工程と；
前記第１及び第２放送に関する再生前処理を行い、第１及び第２コンテンツ復号結果を生成する生成工程と；
前記第１及び第２コンテンツ復号結果のそれぞれにおけるコマーシャル期間を検出するコマーシャル検出工程と；
前記第１及び第２コンテンツ復号結果のいずれを再生出力用に選択すべきかを制御する選択制御工程と；を備え、
前記選択制御工程では、前記コマーシャル検出工程において、再生出力用として選択されている一方のコンテンツ復号結果においてはコマーシャル期間であることが検出され、再生出力用としては選択されていない他方のコンテンツ復号結果においてはコマーシャル期間であることが検出されておらず、かつ、前記同時放送判定工程における判定の結果が肯定的であることを含む切換条件が満たされた場合に、前記他方のコンテンツ復号結果への選択の切換制御を行う、
ことを特徴とする放送受信方法。
【請求項８】
請求項７に記載の放送受信方法を演算手段に実行させる、ことを特徴とする放送受信プログラム。
【請求項９】
請求項８に記載の放送受信プログラムが、演算手段により読み取り可能に記録されている、ことを特徴とする記録媒体。
【発明の詳細な説明】
【技術分野】
【０００１】
本発明は、放送受信装置、放送受信方法、放送受信プログラム、及び、当該放送受信プログラムが記録された記録媒体に関する。
【背景技術】
【０００２】
従来から、テレビジョン等の放送波を受信して、放送内容を再生する放送受信装置が広く普及している。こうした放送受信装置に関する技術の進歩は著しく、利用者の要望等に応えて、利用者の利便性を向上させるための様々な技術が提案されている。
【０００３】
かかる提案技術の一つとして、利用者が、番組本編の間に挿入されるコマーシャルを視聴しないようにする技術がある（特許文献１参照：以下、「従来例」と呼ぶ）。この従来例の技術では、利用者が所望するチャンネルの放送番組の視聴中に、無音期間や音声モードの切り換りによりコマーシャルの開始を検出した場合に、他のチャンネルの放送番組に切り換えて再生したり、外部メディア機器等からの信号を再生したりするようになっている。そして、コマーシャルに特有な所定時間が経過した後に、切り換え前のチャンネルにより番組本編が放送されていると判断した場合に、利用者が所望するチャンネルの放送番組を再生出力するようになっている。
【０００４】
【特許文献１】特開２００６−２１７５２３号公報
【発明の開示】
【発明が解決しようとする課題】
【０００５】
上述した従来例の技術では、コマーシャルの開始を検出した際に、利用者が所望するとは限らない他のチャンネルの放送番組に切り換えて再生したり、外部メディア機器等からの信号を再生したりする。また、従来例の技術では、切り換えた他のチャンネルにおいてコマーシャルが放送されているような場合には、他のチャンネルにおいて放送されているコマーシャルを視聴することになってしまう。
【０００６】
ところで、地上デジタル放送では、複数の階層放送間において、一つの階層放送（例えば、１２セグ放送）によりコマーシャルが放送されている場合に、当該一つの階層放送とは別の階層放送（例えば、ワンセグ放送）により番組本編を継続して放送するサービスが広がる傾向にある。こうしたサービスを利用する場合に、番組本編の連続視聴の観点から、各階層放送間を適切に切り換えることができれば、連続視聴を望む利用者の利便性は、飛躍的に向上する。
【０００７】
このため、同時放送の受信処理において、コマーシャル期間を検出して、ワンセグ放送と１２セグ放送とを自動的に適切に切り換え、放送番組の連続視聴を可能とする技術が待望されている。かかる要請に応えることが、本発明が解決すべき課題の一つとして挙げられる。
【０００８】
本発明は、上記の事情を鑑みてなされたものであり、同時放送の受信処理において、連続視聴を可能とするように、同一伝送チャンネル内の複数の放送を、適切に切り換えることができる新たな放送受信装置及び放送受信方法を提供することを目的とする。
【課題を解決するための手段】
【０００９】
請求項１に記載の発明は、第１放送及び第２放送を含む複数の放送波を受信する放送受信装置であって、前記第１放送及び第２放送が、同一番組が同一時間帯に放送される同時放送であるか否かを判定する同時放送判定手段と；前記第１及び第２放送に関する再生前処理を行い、第１及び第２コンテンツ復号結果を生成する生成手段と；前記第１及び第２コンテンツ復号結果のそれぞれにおけるコマーシャル期間を検出するコマーシャル検出手段と；前記第１及び第２コンテンツ復号結果の一方を選択して出力する選択手段と；前記選択手段に対して、前記第１及び第２コンテンツ復号結果のいずれを選択すべきかを制御する選択制御手段と；を備え、前記コマーシャル検出手段により、前記選択手段により選択されている一方のコンテンツ復号結果においてはコマーシャル期間であることが検出され、前記選択手段により選択されていない他方のコンテンツ復号結果においてはコマーシャル期間であることが検出されておらず、かつ、前記同時放送判定手段による判定の結果が肯定的であることを含む第１切換条件が満たされた場合に、前記選択制御手段が、前記選択手段に対して、前記他方のコンテンツ復号結果への選択の切換制御を行う、ことを特徴とする放送受信装置である。
【００１０】
請求項７に記載の発明は、第１放送及び第２放送を含む複数の放送波を受信する放送受信装置において使用される放送受信方法であって、前記第１放送及び第２放送が、同一番組が同一時間帯に放送される同時放送であるか否かを判定する同時放送判定工程と；前記第１及び第２放送に関する再生前処理を行い、第１及び第２コンテンツ復号結果を生成する生成工程と；前記第１及び第２コンテンツ復号結果のそれぞれにおけるコマーシャル期間を検出するコマーシャル検出工程と；前記第１及び第２コンテンツ復号結果のいずれを再生出力用に選択すべきかを制御する選択制御工程と；を備え、前記選択制御工程では、前記コマーシャル検出工程において、再生出力用として選択されている一方のコンテンツ復号結果においてはコマーシャル期間であることが検出され、再生出力用としては選択されていない他方のコンテンツ復号結果においてはコマーシャル期間であることが検出されておらず、かつ、前記同時放送判定工程における判定の結果が肯定的であることを含む切換条件が満たされた場合に、前記他方のコンテンツ復号結果への選択の切換制御を行う、ことを特徴とする放送受信方法である。
【００１１】
請求項８に記載の発明は、請求項７に記載の放送受信方法を演算手段に実行させる、ことを特徴とする放送受信プログラムである。
【００１２】
請求項９に記載の発明は、請求項８に記載の放送受信プログラムが、演算手段により読み取り可能に記録されている、ことを特徴とする記録媒体である。
【発明を実施するための最良の形態】
【００１３】
以下、本発明の一実施形態を、図１〜図６を参照して説明する。なお、以下の説明及び図面においては、同一又は同等の要素には同一の符号を付し、重複する説明を省略する。
【００１４】
［構成］
図１には、一実施形態に係る放送受信装置１００の概略的な構成がブロック図にて示されている。この放送受信装置１００は、車両に搭載され、地上デジタル放送においてＡ階層放送（ワンセグ放送）とＢ階層放送（１２セグ放送）とを受信する放送受信装置である。
【００１５】
この図１に示されるように、放送受信装置１００は、アンテナ１１０と、ＲＦ処理ユニット１２０と、チャンネルデコードユニット１３０と、ソースデコードユニット１４０と、選択手段としての選択ユニット１５０とを備えている。また、放送受信装置１００は、音出力ユニット１６０と、表示ユニット１７０と、操作入力ユニット１８０とを備えている。さらに、放送受信装置１００は、制御ユニット１９０を備えている。
【００１６】
上記のアンテナ１１０は、放送波を受信する。アンテナ１１０による受信結果は、受信信号ＲＦＳとしてＲＦ処理ユニット１２０へ送られる。
【００１７】
上記のＲＦ処理ユニット１２０は、制御ユニット１９０から供給された選局指令ＣＳＬに従って、選択すべきチャンネルの信号を受信信号ＲＦＳから抽出する選局処理を行う。かかる機能を有するＲＦ処理ユニット１２０は、入力フィルタ、高周波増幅器、バンドパスフィルタ（以下、「ＲＦフィルタ」とも呼ぶ）、ミキサ（混合器）、中間周波フィルタ（以下、「ＩＦフィルタ」とも呼ぶ）、局部発振回路等（いずれも不図示）を備えて構成されている。
【００１８】
このＲＦ処理ユニット１２０では、アンテナ１１０からの受信信号ＲＦＳが、入力フィルタを通過することにより、帯域外成分が除去された後、高周波増幅器により増幅される。こうして高周波増幅器により増幅された信号は、ＲＦフィルタにより、特定の高周波数範囲の信号が抽出された後、ミキサにおいて、制御ユニット１９０からの選局指令ＣＳＬに従って局部発振回路により生成された希望局に対応する周波数を有する局部発振信号と混合される。ミキサによる混合結果からＩＦフィルタにより予め定められた中間周波数帯の信号が選択される。この選択結果が、アナログデジタル変換された後、信号ＣＳＳとして、チャンネルデコードユニット１３０へ送られる。
【００１９】
なお、選局指令ＣＳＬはデジタル形式で制御ユニット１９０から出力されるが、デジタルアナログ変換された後に、局部発振回路において利用されるようになっている。
【００２０】
上記のチャンネルデコードユニット１３０は、制御ユニット１９０による制御のもとで、ＲＦ処理ユニット１２０からの信号ＣＳＳのＯＦＤＭ（Orthogonal Frequency Division Multiplex）復調処理等を行った後、復調結果に基づくデータパケット生成を行う。こうして生成されたパケットＰＫＤは、ソースデコードユニット１４０へ送られる。なお、チャンネルデコードユニット１３０から送られるパケットＰＫＤには、Ａ階層パケットＡＰＫ及びＢ階層パケットＢＰＫが含まれている（図２参照）。
【００２１】
上記のソースデコードユニット１４０は、制御ユニット１９０による制御のもとで、チャンネルデコードユニット１３０からのパケットＰＫＤを処理して、選択ユニット１５０へ供給するためのＡ階層データＡＡＶ及びＢ階層データＢＡＶを生成する。かかる機能を有するソースデコードユニット１４０は、図２に示されるように、計測手段としてのパケット分離部１４１と、生成手段の一部としてのＡ階層処理部１４２と、生成手段の一部としてのＢ階層処理部１４３とを備えている。さらに、ソースデコードユニット１４０は、取得手段としての番組情報取得部１４４と、コンテンツ判定手段としてのコンテンツ評価部１４５と、コマーシャル検出手段としてのＣＭ（「コマーシャル・メッセージ」又は「コマーシャル」）検出部１４６とを備えている。
【００２２】
上記のパケット分離部１４１は、チャンネルデコードユニット１３０からのパケットＰＫＤを受ける。そして、パケット分離部１４１は、パケットＰＫＤをＡ階層パケットＡＰＫとＢ階層パケットＢＰＫとに分離する。こうして分離されたＡ階層パケットＡＰＫ及びＢ階層パケットＢＰＫは、それぞれ、Ａ階層処理部１４２及びＢ階層処理部１４３へ送られる。
【００２３】
また、パケット分離部１４１は、Ｂ階層パケットＢＰＫにおけるエラーを検出する。こうして検出されたエラーは、Ｂ階層パケットエラーＢＰＥとして、制御ユニット１９０へ送られる。
【００２４】
また、パケット分離部１４１は、パケットＰＫＤを解析して、Ａ階層放送における現在放送中の番組名などの番組情報を含むイベント情報テーブル（以下、「L-EIT[p/f]情報」と呼ぶ）、及び、Ｂ階層放送における現在放送中の番組名などの番組情報を含むイベント情報テーブル（以下「H-EIT[p/f]情報」と呼ぶ）を抽出する。こうして抽出されたL-EIT[p/f]情報及びH-EIT[p/f]情報は、データＬＨＤとして番組情報取得部１４４へ送られる。
【００２５】
上記のＡ階層処理部１４２は、パケット分離部１４１からのＡ階層パケットＡＰＫを受ける。そして、Ａ階層処理部１４２は、制御ユニット１９０による制御のもとで、地上デジタル放送におけるＡ階層放送に採用されているＨ．２６４／ＡＶＣ方式でエンコード化されたＡ階層パケットＡＰＫのソースデコード処理を行い、Ａ階層放送に対応する音声データ及び映像データであるＡ階層データＡＡＶを生成する。こうして生成されたＡ階層データＡＡＶは、コンテンツ評価部１４５、ＣＭ検出部１４６、及び、選択ユニット１５０へ送られる。
【００２６】
上記のＢ階層処理部１４３は、パケット分離部１４１からのＢ階層パケットＢＰＫを受ける。そして、Ｂ階層処理部１４３は、制御ユニット１９０による制御のもとで、地上デジタル放送におけるＢ階層放送に採用されているＭＰＥＧ２方式でエンコード化されたＢ階層パケットＢＰＫのソースデコード処理を行い、Ｂ階層放送に対応する音声データ及び映像データであるＢ階層データＢＡＶを生成する。こうして生成されたＢ階層データＢＡＶは、コンテンツ評価部１４５、ＣＭ検出部１４６、及び、選択ユニット１５０へ送られる。
【００２７】
上記の番組情報取得部１４４は、パケット分離部１４１からのデータＬＨＤを受ける。そして、番組情報取得部１４４は、データＬＨＤに含まれるL-EIT[p/f]情報とH-EIT[p/f]情報とに基づき、現在放送中の番組名などの番組情報から、Ａ階層放送及びＢ階層放送が、同一番組であるか否かを判定する。かかる判定の結果は、番組一致情報ＰＧＩとして制御ユニット１９０へ送られる。
【００２８】
上記のコンテンツ評価部１４５は、Ａ階層処理部１４２からのＡ階層データＡＡＶを受けるとともに、Ｂ階層処理部１４３からのＢ階層データＢＡＶを受ける。そして、コンテンツ評価部１４５は、Ａ階層データＡＡＶ及びＢ階層データＢＡＶにおける映像コンテンツ及び音声コンテンツの内容が、同一コンテンツに基づくものであるか否かを判定する。こうした判定は、例えば、後述するコマーシャル期間を除く期間におけるＡ階層放送及びＢ階層放送における同期ずれ時間を検出し、当該検出した同期ずれ時間を考慮した上で行われる。かかる判定の結果は、コンテンツ一致情報ＣＴＩとして制御ユニット１９０へ送られる。
【００２９】
上記のＣＭ検出部１４６は、Ａ階層処理部１４２からのＡ階層データＡＡＶを受けるとともに、Ｂ階層処理部１４３からのＢ階層データＢＡＶを受ける。そして、ＣＭ検出部１４６は、Ａ階層データＡＡＶを解析してＡ階層放送におけるコマーシャル期間を検出するとともに、Ｂ階層データＢＡＶを解析してＢ階層放送におけるコマーシャル期間を検出する。
【００３０】
ＣＭ検出部１４６は、上述したコマーシャル期間を、音声コンテンツの無音期間及び音声チャンネル構成の切換りを検出することにより行う。ここで、本実施形態においては、音声チャンネル構成は、Ａ階層放送及びＢ階層放送共にコマーシャル期間においては２チャンネルステレオ構成となっており、コマーシャル期間以外の期間においてはマルチチャンネルサラウンド構成又はモノラル構成となっているものとする。
【００３１】
ＣＭ検出部１４６は、本実施形態では、Ａ階層放送におけるコマーシャル期間の検出に際して、Ａ階層データＡＡＶにおける音声コンテンツの無音期間を検出するとともに、音声チャンネル構成の切換りを検出する。そして、ＣＭ検出部１４６は、所定時間以上の無音期間を検出し、当該無音期間の前後において、音声チャンネル構成が、マルチチャンネルサラウンド構成又はモノラル構成から２チャンネルステレオ構成に切換った場合に、コマーシャル期間が開始したと判断する。この後、コマーシャルに特徴的な期間（例えば、１５秒、３０秒）が継続した後に、所定時間以上の無音期間を検出し、当該無音期間の前後において、音声チャンネル構成が２チャンネルステレオ構成からマルチチャンネルサラウンド構成又はモノラル構成に切換った場合に、コマーシャル期間が終了したと判断する。
【００３２】
また、ＣＭ検出部１４６は、Ｂ階層放送におけるコマーシャル期間の検出に際して、Ｂ階層データＢＡＶにおける音声コンテンツの無音期間を検出するとともに、音声チャンネル構成の切換りを検出する。そして、ＣＭ検出部１４６は、上述したＡ階層放送におけるコマーシャル期間の検出方法と同様にして、Ｂ階層放送におけるコマーシャル期間を検出する。こうして検出されたＡ階層放送及びＢ階層放送におけるコマーシャル期間に関する情報は、検出情報ＣＭＩとして制御ユニット１９０へ送られる。
【００３３】
図１に戻り、上記の選択ユニット１５０は、ソースデコードユニット１４０からのＡ階層データＡＡＶ及びＢ階層データＢＡＶを受ける。そして、選択ユニット１５０は、制御ユニット１９０による選択指令ＳＬＳに従って、Ａ階層データＡＡＶ及びＢ階層データＢＡＶのいずれかを選択する。こうして選択ユニット１５０において選択された階層データにおける音声データが、出力音声データＡＤＴとして音出力ユニット１６０へ送られる。また、選択ユニット１５０において選択された階層データにおける映像データが、出力映像データＶＤＴとして表示ユニット１７０へ送られる。
【００３４】
上記の音出力ユニット１６０は、（ｉ）選択ユニット１５０から受信した出力音声データＡＤＴをアナログ信号に変換するＤＡ（Digital to Analogue）変換器と、（ii）当該ＤＡ変換器から出力されたアナログ信号を増幅する増幅器と、（iii）増幅されたアナログ信号を音声に変換するスピーカとを備えて構成されている。この音出力ユニット１６０により、選択ユニット１５０において選択された放送の音声が再生される。
【００３５】
上記の表示ユニット１７０は、例えば、（ｉ）液晶パネル、有機ＥＬ（Electro Luminescence）パネル、ＰＤＰ（Plasma Display Panel）等の表示デバイスと、（ii）選択ユニット１５０から受信した出力映像データＶＤＴに従って、当該表示デバイスに画像を表示させる表示制御回路とを備えている。この表示ユニット１７０により、選択ユニット１５０において選択された放送の映像が再生される。
【００３６】
上記の操作入力ユニット１８０は、放送受信装置１００の本体部に設けられたキー部、及び／又はキー部を備えるリモート入力装置等により構成される。ここで、本体部に設けられたキー部としては、表示ユニット１７０の表示デバイスに設けられたタッチパネルを用いることができる。また、キー部を有する構成に代えて、又は併用して音声認識技術を利用して音声にて入力する構成を採用することもできる。
【００３７】
この操作入力ユニット１８０を利用者が操作することにより、放送受信装置１００の動作内容の設定が行われる。例えば、選局チャンネルの指定、後述する視聴モードの指定等を、利用者が操作入力ユニット１８０を利用して行う。操作入力ユニット１８０への操作入力結果は、操作入力データＩＰＤとして制御ユニット１９０へ送られる。
【００３８】
上記の制御ユニット１９０は、放送受信装置１００の動作の制御を行う。かかる機能を有する制御ユニット１９０は、図３に示されるように、選局制御部１９１と、選択制御手段としての放送選択制御部１９２とを備えている。
【００３９】
上記の選局制御部１９１は、操作入力ユニット１８０に入力された選局チャンネル指定を操作入力データＩＰＤとして受ける。そして、選局制御部１９１は、当該選局チャンネル指定に従って、指定されたチャンネルの選択を行わせるための選局指令ＣＳＬを生成し、ＲＦ処理ユニット１２０へ送る。
【００４０】
上記の放送選択制御部１９２は、パケット分離部１４１からのＢ階層パケットエラーＢＰＥ受ける。また、放送選択制御部１９２は、番組情報取得部１４４、コンテンツ評価部１４５、ＣＭ検出部１４６のそれぞれから、番組一致情報ＰＧＩ、コンテンツ一致情報ＣＴＩ、検出情報ＣＭＩを受ける。そして、放送選択制御部１９２は、Ｂ階層パケットエラーＢＰＥ、番組一致情報ＰＧＩ、コンテンツ一致情報ＣＴＩ、検出情報ＣＭＩを総合的に勘案して、選択ユニット１５０に対して出力する、Ａ階層データＡＡＶ及びＢ階層データＢＡＶのいずれを選択すべきかを指定した選択指令ＳＬＳを生成する。
【００４１】
かかる選択指令ＳＬＳの生成に際して、放送選択制御部１９２は、Ｂ階層パケットエラーＢＰＥの発生頻度に基づいて、放送波の受信品質を評価する。そして、放送波の受信品質の値が所定の閾値未満である場合には、制御ユニット１９０は、Ａ階層データＡＡＶを選択すべき旨の選択指令ＳＬＳを生成する。
【００４２】
一方、放送波の受信品質の値が所定の閾値以上である場合には、制御ユニット１９０は、利用者が指定した視聴モードに応じた切換制御を行う。この利用者が指定する視聴モードには、本実施形態では、「自動切換モード」と「Ａ階層固定モード」との２つのモードがある。ここで、「自動切換モード」は、できるだけ再生画質、再生音質に優れるＢ階層放送を視聴しつつ、連続視聴を実現するためにＡ階層放送を視聴するモードである。また、「Ａ階層固定モード」は、放送間における切換が少ないことを好む視聴者がエラー耐性の高いＡ階層放送を視聴しつつ、連続視聴を実現するためにＢ階層放送を視聴するモードである。かかる視聴モードに応じた階層放送間における切換に関する処理については、後述する。
【００４３】
なお、階層放送間の切換の指標の一つとなる受信品質の値の所定の閾値は、実験、シミュレーション、経験等に基づいて、予め定められるようになっている。
【００４４】
［動作］
以上のようにして構成された放送受信装置１００の動作について、制御ユニット１９０におけるＡ階層データＡＡＶ及びＢ階層データＢＡＶの階層切換処理に主に着目して説明する。
【００４５】
放送受信装置１００では、ＲＦ処理ユニット１２０において選局処理が行われ、チャンネルデコードユニット１３０においてパケットＰＫＤの生成処理が行われている（図１参照）。そして、ソースデコードユニット１４０におけるパケット分離部１４１が、パケットＰＫＤをＡ階層パケットＡＰＫ及びＢ階層パケットＢＰＫに分離するとともに、Ｂ階層パケットＢＰＫにおけるエラーを検出して、その検出結果であるＢ階層パケットエラーＢＰＥを放送選択制御部１９２へ送る。また、パケット分離部１４１は、パケットＰＫＤを解析して、L-EIT[p/f]情報及びH-EIT[p/f]情報を抽出し、データＬＨＤとして番組情報取得部１４４へ送る（図２参照）。
【００４６】
分離されたＡ階層パケットＡＰＫ及びＢ階層パケットＢＰＫは、それぞれ、Ａ階層処理部１４２及びＢ階層処理部１４３へ送られる。そして、Ａ階層処理部１４２では、Ａ階層パケットＡＰＫからＡ階層データＡＡＶが生成され、選択ユニット１５０、コンテンツ評価部１４５、ＣＭ検出部１４６へ逐次送られる。また、Ｂ階層処理部１４３では、Ｂ階層パケットＢＰＫからＢ階層データＢＡＶが生成され、選択ユニット１５０、コンテンツ評価部１４５、ＣＭ検出部１４６へ逐次送られる（図２参照）。
【００４７】
番組情報取得部１４４では、データＬＨＤに含まれるL-EIT[p/f]情報とH-EIT[p/f]情報とに基づき、Ａ階層放送及びＢ階層放送が、同時放送であるか否かを判定して、判定の結果を、番組一致情報ＰＧＩとして放送選択制御部１９２へ送る。また、コンテンツ評価部１４５は、Ａ階層データＡＡＶ及びＢ階層データＢＡＶにおける映像コンテンツ及び音声コンテンツの内容が、同一コンテンツに基づくものであるか否かを判定して、判定の結果を、コンテンツ一致情報ＣＴＩとして放送選択制御部１９２へ送る。さらに、ＣＭ検出部１４６は、Ａ階層放送におけるコマーシャル期間、及び、Ｂ階層放送におけるコマーシャル期間を検出して、検出の結果を、検出情報ＣＭＩとして放送選択制御部１９２へ送る（図３参照）。
【００４８】
本実施形態の階層切換処理においては、図４に示されるように、まず、ステップＳ１１において、視聴モードの設定処理が行われる。この視聴モードの設定処理では、利用者による「自動切換モード」及び「Ａ階層固定モード」のいずれかの視聴モードの指定に対応して、放送選択制御部１９２が指定されたモードに設定される。この後、処理はステップＳ１２へ進む。
【００４９】
ステップＳ１２では、放送選択制御部１９２が、視聴モードとして「自動切換モード」が設定されたか否かを判定する。この判定の結果が肯定的であった場合（ステップＳ１２：Ｙ）には、処理はステップＳ１３へ進む。
【００５０】
ステップＳ１３では、放送選択制御部１９２が、Ｂ階層パケットエラーＢＰＥの発生頻度に基づいて、放送波の受信品質の値が所定の閾値以上であるか否かを判定する。この判定の結果が否定的であった場合（ステップＳ１３：Ｎ）、すなわち、放送波の受信品質が不良状態である場合には、処理はステップＳ１４へ進む。
【００５１】
ステップＳ１４では、放送選択制御部１９２が、Ａ階層データＡＡＶを選択すべき旨の選択指令ＳＬＳを生成し、当該指令を選択ユニット１５０へ向けて出力する。この後、処理はステップＳ１５へ進む。ステップＳ１５では、放送波の受信品質の値が所定の閾値以上であるか否かを判定する。この判定の結果が否定的であった場合（ステップＳ１５：Ｎ）には、ステップＳ１５の処理が繰り返される。
【００５２】
一方、ステップＳ１５における判定の結果が肯定的になると（ステップＳ１５：Ｙ）、すなわち、放送波の受信品質が良好状態になると、処理はステップＳ１６へ進む。また、上述したステップＳ１３における判定の結果が肯定的であった場合（ステップＳ１３：Ｙ）、すなわち、放送波の受信品質が良好状態である場合にも、処理はステップＳ１６へ進む。
【００５３】
ステップＳ１６では、放送選択制御部１９２が、Ｂ階層データＢＡＶを選択すべき旨の選択指令ＳＬＳを生成し、当該指令を選択ユニット１５０へ向けて出力する。この後、処理はステップＳ１７へ進む。
【００５４】
＜「自動切換モード」における切換制御処理＞
ステップＳ１７では、「自動切換モード」における切換制御処理が行われる。この「自動切換モード」における切換制御処理は、放送波の受信品質の値が所定の閾値以上である場合に実行され、Ｂ階層放送におけるコマーシャル期間中に、Ａ階層放送において同時放送の番組本編が放送されているときに、Ａ階層放送へ切り換える制御処理である。
【００５５】
この切換制御処理では、図５に示されるように、まず、ステップＳ３１において、放送選択制御部１９２が、放送波の受信品質の値が所定の閾値以上であるか否かを判定する。この判定の結果が否定的であった場合（ステップＳ３１：Ｎ）、すなわち、放送波の受信品質が不良状態になった場合には、Ｂ階層放送に基づく映像及び音声が再生されなくなることから、「自動切換モード」における切換制御処理を終了し、処理は、図４のステップＳ１８へ進む。
【００５６】
図５へ戻り、ステップＳ３１における判定の結果が肯定的であった場合（ステップＳ３１：Ｙ）、すなわち、放送波の受信品質が良好状態を維持している場合には、処理はステップＳ３２へ進む。ステップＳ３２では、放送選択制御部１９２が、ＣＭ検出部１４６からの検出情報ＣＭＩに基づいて、Ｂ階層放送においてコマーシャル期間中であるか否かを判定する。この判定の結果が否定的であった場合（ステップＳ３２：Ｎ）には、処理はステップＳ３１へ戻る。
【００５７】
一方、ステップＳ３２における判定の結果が肯定的であった場合（ステップＳ３２：Ｙ）には、処理はステップＳ３３へ進む。このステップＳ３３では、放送選択制御部１９２が、Ａ階層放送及びＢ階層放送が、同一番組が同一時間帯に放送される同時放送中であるか否かを判定する。かかる同時放送の判定処理に際して、放送選択制御部１９２は、番組情報取得部１４４から同一番組である旨の番組一致情報ＰＧＩを受けた場合には、この段階で、Ａ階層放送及びＢ階層放送が同時放送であると判定する。また、放送選択制御部１９２は、番組情報取得部１４４から同一番組でない旨の番組一致情報ＰＧＩを受けた場合には、コンテンツ評価部１４５から同一コンテンツである旨のコンテンツ一致情報ＣＴＩを受けた場合に、Ａ階層放送及びＢ階層放送が同時放送であると判定する。この判定の結果が否定的であった場合（ステップＳ３３：Ｎ）には、処理はステップＳ３１へ戻る。
【００５８】
一方、ステップＳ３３における判定の結果が肯定的であった場合（ステップＳ３３：Ｙ）には、処理はステップＳ３４へ進む。ステップＳ３４では、放送選択制御部１９２が、ＣＭ検出部１４６からの検出情報ＣＭＩに基づいて、Ａ階層放送においてコマーシャル期間中であるか否かを判定する。この判定の結果が肯定的であった場合（ステップＳ３４：Ｙ）、すなわち、Ｂ階層放送及びＡ階層放送に双方おいてコマーシャル期間中である場合には、Ｂ階層放送からＡ階層放送に切り換えても番組本編の連続視聴を行うことができないため、処理はステップＳ３１へ戻る。
【００５９】
一方、ステップＳ３４における判定の結果が否定的であった場合（ステップＳ３４：Ｎ）、すなわち、Ｂ階層放送においてコマーシャル期間中であり、Ａ階層放送において同時放送の番組本編が放送されている場合には、処理はステップＳ３５へ進む。このステップＳ３５では、放送選択制御部１９２が、Ａ階層データＡＡＶを選択すべき旨の選択指令ＳＬＳを生成し、当該指令を選択ユニット１５０へ向けて出力する。この結果、Ｂ階層放送におけるコマーシャル期間中に、Ａ階層放送を視聴することにより番組本編の連続視聴が実現される。
【００６０】
引き続き、ステップＳ３６において、放送選択制御部１９２が、放送波の受信品質の値が所定の閾値以上であるか否かを判定する。この判定の結果が否定的になった場合（ステップＳ３６：Ｎ）、すなわち、放送波の受信品質が不良状態になった場合には、Ｂ階層放送に基づく映像及び音声が再生されなくなることから、「自動切換モード」における切換制御処理が終了し、処理は、図４のステップＳ１８へ進む。
【００６１】
図５へ戻り、ステップＳ３６における判定の結果が肯定的であった場合（ステップＳ３６：Ｙ）、すなわち、放送波の受信品質が良好状態を維持している場合には、処理はステップＳ３７へ進む。ステップＳ３７では、放送選択制御部１９２が、ＣＭ検出部１４６からの検出情報ＣＭＩに基づいて、Ｂ階層放送においてコマーシャル期間が終了したか否かを判定する。この判定の結果が否定的であった場合（ステップＳ３７：Ｎ）、すなわち、Ｂ階層放送においてコマーシャル期間中である場合には、処理はステップＳ３６へ戻る。
【００６２】
一方、ステップＳ３７における判定の結果が肯定的になると（ステップＳ３７：Ｙ）、処理はステップＳ３８へ進む。このステップＳ３８では、放送選択制御部１９２が、Ｂ階層データＢＡＶを選択すべき旨の選択指令ＳＬＳを生成し、当該指令を選択ユニット１５０へ向けて出力する。この結果、Ｂ階層放送におけるコマーシャル期間が終了すると、利用者が視聴する放送がＡ階層放送からＢ階層放送に切り換り、利用者が希望するＢ階層放送での番組本編の連続視聴が実現される。この後、処理はステップＳ３１へ戻る。
【００６３】
以上が、「自動切換モード」における切換制御処理である。
【００６４】
図４に戻り、ステップＳ１８では、放送選択制御部１９２が、選択ユニット１５０によりＡ階層データＡＡＶが選択されているか否かを判定する。この判定の結果が否定的であった場合（ステップＳ１８：Ｎ）、すなわち、上述したステップＳ３１（図５参照）における判定の結果が否定的であった場合には、処理はステップＳ１４へ戻る。一方、ステップＳ１８における判定の結果が肯定的であった場合（ステップＳ１８：Ｙ）、すなわち、上述したステップＳ３６（図５参照）における判定の結果が否定的であった場合には、処理はステップＳ１５へ戻る。
【００６５】
一方、ステップＳ１２における判定の結果が否定的であった場合（ステップＳ１２：Ｎ）、すなわち、視聴モードとして「Ａ階層固定モード」が設定されている場合には、処理は、後述するステップＳ１９へ進む。このステップＳ１９では、放送選択制御部１９２が、Ｂ階層データＢＡＶを選択すべき旨の選択指令ＳＬＳを生成し、当該指令を選択ユニット１５０へ向けて出力する。この後、処理はステップＳ２０へ進む。
【００６６】
＜「Ａ階層固定モード」における切換制御処理＞
ステップＳ２０では、「Ａ階層固定モード」における切換制御処理が行われる。この「Ａ階層固定モード」における切換制御処理は、Ａ階層放送におけるコマーシャル期間中に、Ｂ階層放送において同時放送の番組本編が放送されているときに、Ｂ階層放送へ切り換える制御処理である。
【００６７】
この切換制御処理では、図６に示されるように、まず、ステップＳ４１において、放送選択制御部１９２が、ＣＭ検出部１４６からの検出情報ＣＭＩに基づいて、Ａ階層放送においてコマーシャル期間中であるか否かを判定する。この判定の結果が否定的であった場合（ステップＳ４１：Ｎ）には、処理はステップＳ４１へ戻る。
【００６８】
一方、ステップＳ４１における判定の結果が肯定的であった場合（ステップＳ４１：Ｙ）には、処理はステップＳ４２へ進む。このステップＳ４２では、放送選択制御部１９２が、上述したステップＳ３３と同様にして、Ａ階層放送及びＢ階層放送が、同時放送中であるか否かを判定する。この判定の結果が否定的であった場合（ステップＳ４２：Ｎ）には、処理はステップＳ４１へ戻る。
【００６９】
一方、ステップＳ４２おける判定の結果が肯定的であった場合（ステップＳ４２：Ｙ）には、処理はステップＳ４３へ進む。ステップＳ４３では、放送選択制御部１９２が、放送波の受信品質の値が所定の閾値以上であるか否かを判定する。この判定の結果が否定的であった場合（ステップＳ４３：Ｎ）、すなわち、放送波の受信品質が不良状態である場合には、Ｂ階層放送に基づく映像及び音声が再生されない。このため、処理はステップＳ４１へ戻る。
【００７０】
一方、ステップＳ４３おける判定の結果が肯定的であった場合（ステップＳ４３：Ｙ）、すなわち、放送波の受信品質が良好状態である場合には、Ｂ階層放送に基づく映像及び音声が再生可能である。このため、処理はステップＳ４４へ進む。ステップＳ４４では、放送選択制御部１９２が、ＣＭ検出部１４６からの検出情報ＣＭＩに基づいて、Ｂ階層放送においてコマーシャル期間中であるか否かを判定する。この判定の結果が肯定的であった場合（ステップＳ４４：Ｙ）、すなわち、Ａ階層放送及びＢ階層放送に双方おいてコマーシャル期間中である場合には、Ａ階層放送からＢ階層放送に切り換えても番組本編の連続視聴を行うことができないため、処理はステップＳ４１へ戻る。
【００７１】
一方、ステップＳ４４における判定の結果が否定的であった場合（ステップＳ４４：Ｎ）、すなわち、Ａ階層放送においてコマーシャル期間中であり、Ｂ階層放送において同時放送の番組本編が放送されている場合には、処理はステップＳ４５へ進む。このステップＳ４５では、放送選択制御部１９２が、Ｂ階層データＢＡＶを選択すべき旨の選択指令ＳＬＳを生成し、当該指令を選択ユニット１５０へ向けて出力する。この結果、Ａ階層放送におけるコマーシャル期間中に、Ｂ階層放送を視聴することにより番組本編の連続視聴が実現される。
【００７２】
引き続き、ステップＳ４６において、放送選択制御部１９２が、放送波の受信品質の値が所定の閾値以上であるか否かを判定する。この判定の結果が否定的になった場合（ステップＳ４６：Ｎ）、すなわち、放送波の受信品質が不良状態になった場合には、Ｂ階層放送に基づく映像及び音声が再生されなくなるときには、処理は、後述するステップＳ４８へ進む。
【００７３】
一方、ステップＳ４６における判定の結果が肯定的であった場合（ステップＳ４６：Ｙ）、すなわち、放送波の受信品質が良好状態を維持している場合には、処理はステップＳ４７へ進む。ステップＳ４７では、放送選択制御部１９２が、ＣＭ検出部１４６からの検出情報ＣＭＩに基づいて、Ａ階層放送においてコマーシャル期間が終了したか否かを判定する。この判定の結果が否定的であった場合（ステップＳ４７：Ｎ）、すなわち、Ｂ階層放送においてコマーシャル期間中である場合には、処理はステップＳ４６へ戻る。
【００７４】
一方、ステップＳ４７における判定の結果が肯定的になると（ステップＳ４７：Ｙ）、処理はステップＳ４８へ進む。このステップＳ４８では、放送選択制御部１９２が、Ｂ階層放送からＡ階層放送へ切り換るための選択指令ＳＬＳを生成し、当該指令を選択ユニット１５０へ向けて出力する。この結果、Ａ階層放送におけるコマーシャル期間が終了すると、Ｂ階層放送からＡ階層放送に切り換り、利用者が希望するＡ階層放送での番組本編の連続視聴が実現される。この後、処理はステップＳ４１へ戻る。
【００７５】
以上が、「Ａ階層固定モード」における切換制御処理である。
【００７６】
上記の切換制御処理が実行されることにより、Ａ階層データＡＡＶ及びＢ階層データＢＡＶの階層切換処理が行われる。
【００７７】
以上説明したように、本実施形態では、パケット分離部１４１が、Ｂ階層放送の復調結果のエラーであるＢ階層パケットエラーＢＰＥを検出して、当該エラーを放送選択制御部１９２へ送る。また、番組情報取得部１４４が、Ａ階層放送及びＢ階層放送が、同一番組であるか否かを判定して、当該判定の結果を、番組一致情報ＰＧＩとして放送選択制御部１９２へ送るとともに、コンテンツ評価部１４５が、Ａ階層放送及びＢ階層放送が、同一コンテンツに基づくものであるか否かを判定して、当該判定の結果を、コンテンツ一致情報ＣＴＩとして放送選択制御部１９２へ送る。さらに、ＣＭ検出部１４６が、Ａ階層放送及びＢ階層放送におけるコマーシャル期間を検出して、検出結果を検出情報ＣＭＩとして放送選択制御部１９２へ送る。
【００７８】
放送選択制御部１９２は、Ｂ階層パケットエラーＢＰＥ、番組一致情報ＰＧＩ、コンテンツ一致情報ＣＴＩ、検出情報ＣＭＩを総合的に勘案して、選択ユニット１５０に対して出力する選択指令ＳＬＳを生成する。この放送選択制御部１９２は、自動切換モードの場合においては、選択ユニット１５０により選択されているＢ階層放送においてはコマーシャル期間であることが検出され、Ａ階層放送においてはコマーシャル期間であることが検出されておらず、かつ、Ａ階層放送及びＢ階層放送が同時放送であることを含む自動切換モードにおける第１切換条件が満たされた場合に、選択ユニット１５０に対して、Ａ階層放送への選択の切換制御を行う。そして、放送選択制御部１９２は、当該第１切換条件を満たしたことにより、Ａ階層放送が選択ユニット１５０により選択されている状態において、放送波の受信品質が良好であり、Ｂ階層放送においてコマーシャル期間が終了したことを含む自動切換モードにおける第２切換条件が満たされた場合に、選択ユニット１５０に対して、Ｂ階層放送への選択の切換制御を行う。
【００７９】
また、放送選択制御部１９２は、Ａ階層固定モードの場合においては、選択ユニット１５０により選択されているＡ階層放送においてはコマーシャル期間であることが検出され、受信品質が良好であり、Ｂ階層放送においてはコマーシャル期間であることが検出されておらず、かつ、Ａ階層放送及びＢ階層放送が同時放送であることを含むＡ階層放送重視モードにおける第１切換条件が満たされた場合に、選択ユニット１５０に対して、Ｂ階層放送への選択の切換制御を行う。そして、放送選択制御部１９２は、当該第１切換条件を満たしたことにより、Ｂ階層放送が選択ユニット１５０により選択されている状態において、Ａ階層放送においてコマーシャル期間が終了したことを含むＡ階層固定モードにおける第２切換条件が満たされた場合に、選択ユニット１５０に対して、Ａ階層放送への選択の切換制御を行う。
【００８０】
したがって、本実施形態によれば、同時放送の受信処理において、連続視聴を可能とするように、同一伝送チャンネル内の複数の放送を、適切に切り換えることができる。
【００８１】
［実施形態の変形］
本発明は、上記の実施形態に限定されるものではなく、様々な変形が可能である。
【００８２】
例えば、上記の実施形態では、Ｂ階層放送の受信品質として、Ｂ階層パケットエラーを検出して考慮するようにしたが、Ｂ階層データにおけるビットエラー率、ＣＮＲ（Carrier to Noise Ratio）、ＡＧＣ（Auto Gain Control）電圧等を検出して考慮するようにしてもよい。
【００８３】
また、上記の実施形態では、放送波の受信品質の値に基づいて、Ａ階層放送からＢ階層放送へ切り換えるときの閾値と、Ｂ階層放送からＡ階層放送へ切り換えるときの閾値を同一とした。これに対して、Ａ階層放送からＢ階層放送へ切り換えるときの閾値を、Ｂ階層放送からＡ階層放送へ切り換えるときの閾値に比べて高く設定する等、両放送間の切換閾値を異なる値にしてもよい。
【００８４】
また、上記の実施形態では、コマーシャル期間を検出するに際して、音声チャンネル構成の切り換りを指標にしたが、２カ国語放送から通常の日本語放送への切り換り等を指標にするようにしてもよい。
【００８５】
また、上記の実施形態では、Ａ階層放送とＢ階層放送との２階層の放送が同一伝送チャンネルに含まれることにしたが、同一伝送チャンネルに含まれる階層放送の数は、３以上であってもよい。
【００８６】
また、上記の実施形態では、コンテンツ評価部がＡ階層放送及びＢ階層放送における同期ずれ時間を検出することとした。これに対して、当該同期ずれ時間が利用者に違和感を与えるようなものであれば、Ａ階層処理部及びＢ階層処理部の後段に、Ａ階層放送及びＢ階層放送における同期ずれ時間を検出する検出部を備えるようにしてもよい。この場合においては、コンテンツ評価部、ＣＭ検出部、及び、選択ユニットは、当該同期ずれ時間を補正したＡ階層データ及びＢ階層データを処理することになる。
【００８７】
また、上記の実施形態では、利用者が指定する視聴モードとして、「自動切換モード」及び「Ａ階層固定モード」の２モードを用意した。これに対して、視聴モードとして、上記の所定の閾値とは一般に異なり、階層放送間の切換閾値が互いに異なるＡ階層放送の視聴を重視するモードとＢ階層放送の視聴を重視するモードとの２モードとすることもできるし、上記の視聴モード以外のモードを追加して３モード以上にすることもできる。
【００８８】
また、本実施形態では、コマーシャル期間における階層放送間の切り換えを自動的に行うようにしたが、こうした自動切換を行うか否かを利用者が設定できるようにしてもよい。
【００８９】
また、上記の実施形態においては、車両に搭載される放送受信装置に本発明を適用したが、車両以外の他の移動体に搭載される放送受信装置にも本発明を適用することもできるし、また、例えば、家庭内等に設置される放送受信装置に本発明を適用することもできる。
【００９０】
また、本発明は、日本国におけるデジタル放送波を受信する放送受信装置に限らず、国際的に承認されているデジタルテレビ放送のための標準規格であるＤＶＢ（Digital Video Broadcasting）を採用したデジタルテレビ放送波を受信する放送受信装置に適用することができるのは勿論である。
【００９１】
なお、上記の実施形態における制御ユニット１９０の一部又は全部を中央処理装置（ＣＰＵ：Central Processing Unit）、読出専用メモリ（ＲＯＭ：Read Only Memory）、ランダムアクセスメモリ（ＲＡＭ：Random Access Memory）等を備えた演算手段としてのコンピュータとして構成し、予め用意されたプログラムを当該コンピュータで実行することにより、上記の実施形態における処理の一部又は全部を実行するようにしてもよい。また、このプログラムは、ＣＤ−ＲＯＭ、ＤＶＤ等の可搬型記録媒体に記録された形態で取得されるようにしてもよいし、インターネットなどのネットワークを介した配信の形態で取得されるようにしてもよい。
【図面の簡単な説明】
【００９２】
【図１】本発明の一実施形態に係る放送受信装置の構成を概略的に示すブロック図である。
【図２】図１のソースデコードユニットの構成を示すブロック図である。
【図３】図１の制御ユニットの構成を示すブロック図である。
【図４】図１の装置による階層切換処理を説明するためのフローチャートである。
【図５】図４の自動切換モードにおける切換制御処理を説明するためのフローチャートである。
【図６】図４のＡ階層固定モードにおける切換制御処理を説明するためのフローチャートである。
【符号の説明】
【００９３】
１００  …  放送受信装置
１４１  …  パケット分離部（計測手段）
１４２  …  Ａ階層処理部（生成手段の一部）
１４３  …  Ｂ階層処理部（生成手段の一部）
１４４  …  番組情報取得部（取得手段）
１４５  …  コンテンツ評価部（コンテンツ判定手段）
１４６  …  ＣＭ検出部（コマーシャル検出手段）
１５０  …  選択ユニット（選択手段）
１９２  …  放送選択制御部（選択制御手段）
【図１】
2010147733.tif 000003
【図２】
2010147733.tif 000004
【図３】
2010147733.tif 000005
【図４】
2010147733.tif 000006
【図５】
2010147733.tif 000007
【図６】
2010147733.tif 000008